(57)【要約】【課題】対面方向に加え、下方向からの血液や唾液等の感染性の液体の飛沫を防御することができるようにしたフェイスシールドを提供すること。【解決手段】装着者の顔面を覆う湾曲可能な透明合成樹脂シート製のフェイスシールド１の下部に横方向に延びる折曲線１１ａを形成し、この折曲線１１ａより下方に位置するフェイスシールドの部位１１を内側に折り曲げることができるようにする。【選択図】図２
0003228269.tif 000002
【実用新案登録請求の範囲】
【請求項１】
装着者の顔面を覆う湾曲可能な透明合成樹脂シート製のフェイスシールドにおいて、前記フェイスシールドの下部に横方向に延びる折曲線を形成し、該折曲線より下方に位置するフェイスシールドの部位を内側に折り曲げることができるようにしてなることを特徴とするフェイスシールド。
【請求項２】
前記フェイスシールドの両側部に下方が狭まるように縦方向に延びる折曲線を形成し、該折曲線より側方に位置するフェイスシールドの部位を内側に折り曲げることができるようにしてなることを特徴とする請求項１に記載のフェイスシールド。
【請求項３】
前記折曲線をフェイスシールドの中心側に凸の曲線に形成してなることを特徴とする請求項１又は２に記載のフェイスシールド。
【請求項４】
前記折曲線が押筋からなることを特徴とする請求項１、２又は３に記載のフェイスシールド。
【請求項５】
前記フェイスシールドが帯電防止機能を有してなることを特徴とする請求項１、２、３又は４に記載のフェイスシールド。
【請求項６】
前記フェイスシールドの上部の両側部に、装着具を取り付けるための２本の切込線をそれぞれ形成してなることを特徴とする請求項１、２、３、４又は５に記載のフェイスシールド。
【請求項７】
前記フェイスシールドが、フェイスシールドの上部に前当てを備えてなり、該前当てに通気空間が形成されてなることを特徴とする請求項１、２、３、４、５又は６に記載のフェイスシールド。
【考案の詳細な説明】
【技術分野】
【０００１】
本考案は、フェイスシールドに関し、特に、歯科等の医療用途に好適に用いることができるフェイスシールドに関するものである。
【背景技術】
【０００２】
従来、血液や唾液等の感染性の液体の飛沫から医療従事者を保護するために、医療従事者の顔面を覆うように装着するフェイスシールドが用いられている。
【０００３】
このフェイスシールドは、汎用のフェイスシールドと同様、湾曲可能な透明合成樹脂シートからなり、装着具を取り付けて、医療従事者の顔面を覆うように装着して使用するようにされている。
【考案の概要】
【考案が解決しようとする課題】
【０００４】
ところで、従来のフェイスシールドは、半円筒状等に湾曲した形状をし、医療従事者の顔面を覆うように装着して使用するものであるため、対面方向からの血液や唾液等の感染性の液体の飛沫は防御することができるが、例えば、歯科の治療時に発生する下方向からの飛沫は防御できないという問題があった。
【０００５】
本考案は、上記従来のフェイスシールドの有する問題点に鑑み、対面方向に加え、下方向からの血液や唾液等の感染性の液体の飛沫を防御することができるようにしたフェイスシールドを提供することを目的とする。
【課題を解決するための手段】
【０００６】
上記目的を達成するため、本考案のフェイスシールドは、装着者の顔面を覆う湾曲可能な透明合成樹脂シート製のフェイスシールドにおいて、前記フェイスシールドの下部に横方向に延びる折曲線を形成し、該折曲線より下方に位置するフェイスシールドの部位を内側に折り曲げることができるようにしてなることを特徴とする。
【０００７】
この場合において、前記フェイスシールドの両側部に下方が狭まるように縦方向に延びる折曲線を形成し、該折曲線より側方に位置するフェイスシールドの部位を内側に折り曲げることができるようにすることができる。
【０００８】
また、前記折曲線をフェイスシールドの中心側に凸の曲線に形成するようにすることができる。
【０００９】
また、前記折曲線が押筋からなるようにすることができる。
【００１０】
また、前記フェイスシールドが帯電防止機能を有してなるようにすることができる。
【００１１】
また、前記フェイスシールドの上部の両側部に、装着具を取り付けるための２本の切込線をそれぞれ形成してなるようにすることができる。
【００１２】
また、前記フェイスシールドが、フェイスシールドの上部に前当てを備えてなり、該前当てに通気空間が形成されてなるようにすることができる。
【考案の効果】
【００１３】
本考案のフェイスシールドによれば、装着者の顔面を覆う湾曲可能な透明合成樹脂シート製のフェイスシールドにおいて、前記フェイスシールドの下部に横方向に延びる折曲線を形成し、該折曲線より下方に位置するフェイスシールドの部位を内側に折り曲げることができるようにすることにより、対面方向に加え、下方向からの血液や唾液等の感染性の液体の飛沫を防御することができる。
【００１４】
また、前記フェイスシールドの両側部に下方が狭まるように縦方向に延びる折曲線を形成し、該折曲線より側方に位置するフェイスシールドの部位を内側に折り曲げることができるようにすることにより、フェイスシールドを装着者の顔の輪郭に沿った形状にすることができる。
【００１５】
また、前記折曲線をフェイスシールドの中心側に凸の曲線に形成するようにすることにより、内側に折り曲げたフェイスシールドの部位が、元に戻ることなく、その状態を安定して維持することができる。
【００１６】
また、前記折曲線が押筋からなるようにすることにより、打ち抜き加工と同時に押筋を形成することができる。
【００１７】
また、前記フェイスシールドが帯電防止機能を有してなるようにすることにより、埃の付着を軽減して、衛生状態を良好に維持することができる。
【００１８】
また、前記フェイスシールドの上部の両側部に、装着具を取り付けるための２本の切込線をそれぞれ形成してなるようにすることにより、装着具の長さ調整を容易に行うことができるとともに、打ち抜き加工と同時に切込線を形成することができる。
【００１９】
また、前記フェイスシールドが、フェイスシールドの上部に前当てを備えてなり、該前当てに通気空間が形成されてなるようにすることにより、フェイスシールド内に水分がこもってフェイスシールドが曇ることを防止することができる。
【図面の簡単な説明】
【００２０】
【図１】本考案のフェイスシールドの一実施例を示す部品図である。
【図２】同フェイスシールドを組み立てた状態を示す説明図である。
【図３】同フェイスシールドの変型実施例の組み立てた状態を示す説明図である。
【考案を実施するための形態】
【００２１】
以下、本考案のフェイスシールドの実施の形態を、図面に基づいて説明する。
【００２２】
図１〜図２に、本考案のフェイスシールドの一実施例を示す。
このフェイスシールド１は、装着者の顔面を覆う湾曲可能な透明合成樹脂シート製のフェイスシールド１の下部に横方向に延びる折曲線１１ａを形成し、この折曲線１１ａより下方に位置するフェイスシールドの部位１１を内側（装着者側）に折り曲げることができるようにしている。
これにより、対面方向に加え、下方向からの血液や唾液等の感染性の液体の飛沫を防御することができるようにしている。
【００２３】
この場合において、フェイスシールド１は、ＰＥＴ樹脂、ポリオレフィン樹脂等の湾曲可能な透明合成樹脂シート素材を、例えば、打ち抜き加工（所謂、トムソン加工）をすることによって製造することができる。
そして、本実施例においては、厚さ０．２ｍｍ程度のＰＥＴ樹脂シートを素材に用いるようにしている。
【００２４】
また、フェイスシールド１の両側部に下方が狭まるように縦方向に延びる折曲線１２ａを形成し、この折曲線より側方に位置するフェイスシールドの部位１２を内側（装着者側）に折り曲げることができるようにしている。
これにより、フェイスシールド１を装着者の顔の輪郭に沿った形状にすることができるようにしている。
【００２５】
この場合、折曲線１１ａ、１２ａは、直線に形成することもできるが、本実施例においては、フェイスシールド１の中心側に凸の曲線に形成するようにしている。
このように、折曲線１１ａ、１２ａを曲線に形成することにより、内側に折り曲げたフェイスシールドの部位１１、１２が、元に戻ることなく、その状態を安定して維持することができる。
【００２６】
また、折曲線１１ａ、１２ａは、打ち抜き加工と同時に加工を施した押筋からなるようにすることができる。
これにより、折曲線１１ａ、１２ａを簡易に形成することができる。
【００２７】
また、フェイスシールド１が帯電防止機能を有してなるようにすることができる。
帯電防止機能は、例えば、グリセリン脂肪酸エステル系材料等の練り込み、導電性ポリマー系材料等のコーティング等によって付与することができる。
これにより、フェイスシールド１への埃の付着を軽減して、衛生状態を良好に維持することができる。
なお、フェイスシールド１には、帯電防止機能のほか、材料の練り込みやコーティング等によって、防曇機能等の必要な機能を付与することができる。
【００２８】
また、フェイスシールド１の上部の両側部に、装着具２を取り付けるための２本の切込線１３をそれぞれ形成してなるようにすることができる。
これにより、装着具２の長さ調整を容易に行うことができるとともに、打ち抜き加工と同時に加工を施すことで、切込線１３を簡易に形成することができる。
【００２９】
このようにして成形したフェイスシールド１は、切込線１３に、ポリエステル、天然ゴム製等の伸縮性を有する紐状部材からなる装着具２を取り付けるとともに、上部に軟質ウレタンフォーム製等の柔軟性を有する角棒状体（本実施例においては、長さ１８０ｍｍ、幅３０ｍｍ、高さ３５ｍｍの角棒状体。）からなる前当て３を粘着テープ等を用いて装着して製品とする。
そして、使用時に、必要に応じて、折曲線１１ａ、１２ａに沿ってフェイスシールドの部位１１、１２を内側に折り曲げて使用するようにする。これにより、フェイスシールドの部位１１、１２が、元に戻ることなく、その状態を安定して維持することができる。
【００３０】
また、図３に示す変型実施例のように、フェイスシールド１の上部に装着する前当て３に、通気空間３１を形成することができる。
通気空間３１は、本実施例に示すように、前当て３の中間部に１０〜６０ｍｍ程度の前当て３を設けない部分を１箇所（本実施例においては、長さ７０ｍｍ、幅３０ｍｍ、高さ３５ｍｍの２本の角棒状体を、４０ｍｍの間隔をあけて装着するようにしている。）又は複数箇所設けるようにしたり、前当て３を構成する角棒状体に通気溝を形成したものを用いるようにしたりすることで形成することができる。
これにより、フェイスシールド内に水分がこもってフェイスシールド１が曇ることを防止することができる。
【００３１】
以上、本考案のフェイスシールドについて、その実施例に基づいて説明したが、本考案は上記実施例に記載した構成に限定されるものではなく、その趣旨を逸脱しない範囲において適宜その構成を変更することができるものである。
【産業上の利用可能性】
【００３２】
本考案のフェイスシールドは、対面方向に加え、下方向からの血液や唾液等の感染性の液体の飛沫を防御することができる特性を有していることから、歯科等の医療用途に好適に用いることができるほか、他の用途にも用いることができる。
【符号の説明】
【００３３】
１  フェイスシールド
１１  フェイスシールドの部位（下部）
１１ａ  折曲線
１２  フェイスシールドの部位（側部）
１２ａ  折曲線
１３  切込線
２  装着具
３  前当て
３１  通気空間
【図１】
0003228269.tif 000003
【図２】
0003228269.tif 000004
【図３】
0003228269.tif 000005